(57)【要約】【課題】統一感のあるアルバム画像を作成する。【解決手段】テンプレート画像は、合成される写真画像の代表色の各色成分における色範囲の付帯情報を備えている。写真画像の代表色を写真画像毎に検出し、検出された代表色の色成分が、上述した色範囲内となるか否かを判定し、テンプレート画像に合成する写真画像を選択する。この判定を、写真画像全てにおいて行い、テンプレート画像に合成する写真画像として選択された写真画像を、該テンプレート画像に合成し、アルバム画像を作成する。【選択図】        図３
2006350936.tif 000002
【特許請求の範囲】
【請求項１】
静止画像が嵌め込まれるレイアウト領域が少なくとも１つ設けられた１つのテンプレート画像と、画像記憶媒体から取り込まれた少なくとも１つの前記静止画像とを合成することによって合成画像を作成する画像作成装置において、
前記テンプレート画像は、該テンプレート画像の色調と調和する静止画像を絞り込むための付帯情報を有しており、
前記付帯情報に基づいて、前記画像記憶媒体に記憶された複数の静止画像の中から、前記テンプレート画像に適した静止画像を選択する画像選択手段と、
前記画像選択手段によって選択された静止画像を、前記テンプレート画像に合成する画像合成手段と、を備えたことを特徴とする画像作成装置。
【請求項２】
前記付帯情報は、前記テンプレート画像に合成される静止画像の色範囲を示す情報であって、
前記画像選択手段は、前記静止画像を解析して得られる代表色が前記色範囲内となる場合に、該静止画像を前記テンプレート画像に合成する静止画像として選択することを特徴とする請求項１記載の画像作成装置。
【請求項３】
前記テンプレート画像は、前記レイアウト領域を複数備えるとともに、前記付帯情報は、前記レイアウト領域のそれぞれに嵌め込まれる静止画像の色範囲を示す情報から構成され、
前記画像選択手段は、前記静止画像を解析することによって得られる代表色が前記色範囲のいずれかの範囲内となる場合に、該静止画像を、該当した色範囲となるレイアウト領域に嵌め込む写真画像として選択することを特徴とする請求項１記載の画像作成装置。
【請求項４】
前記代表色は、前記静止画像を構成する複数の画素に用いられる色成分に基づいて決定されることを特徴とする請求項２又は３記載の画像作成装置。
【請求項５】
静止画像が嵌め込まれるレイアウト領域が少なくとも１つ設けられた１つのテンプレート画像と、画像記憶媒体から取り込まれた少なくとも１つの前記静止画像とを合成することによって合成画像を作成する画像作成用プログラムにおいて、
前記テンプレート画像の色調と調和する静止画像を絞り込むための付帯情報に基づいて、前記画像記憶媒体に記憶された複数の静止画像の中から、前記テンプレート画像に適した静止画像を選択する画像選択手段と、
前記画像選択手段によって選択された静止画像を、前記テンプレート画像に合成する画像合成手段としてコンピュータを機能させることを特徴とする画像作成用プログラム。
【発明の詳細な説明】
【技術分野】
【０００１】
本発明は、写真画像等の静止画像が嵌め込まれるレイアウト領域が設けられたテンプレート画像に静止画像を合成する画像作成装置、及び画像作成用プログラムに関するものである。
【背景技術】
【０００２】
デジタルカメラやビデオカメラによって得られた写真画像の画像データをパーソナルコンピュータ（ＰＣ）の内部に取り込んで、アルバム画像を作成するソフトが提供されている。また、インターネット上で上述した写真画像の画像データを用いてアルバム画像や、これを用いたアルバムを作成するサービスや、写真画像データを記憶した記憶媒体をサービス業者に依託して、上述したアルバムやアルバム画像を作成してもらうサービスも提供されている。
【０００３】
例えば、アルバム画像を作成するソフトを用いた場合、モニタに表示されたテンプレート画像から意図するテンプレート画像を選択し、選択されたテンプレート画像のレイアウト領域に写真画像を順次配置していき、アルバム画像を作成するのが一般的である。この場合、テンプレート画像に設けられたレイアウト領域は、予め固定、或いは、写真画像を配置したときに位置調整ができるようになっている（特許文献１）。このように、アルバム画像を作成するソフトを用いた場合には、アルバム画像を作成する際の操作が容易であり、簡単にアルバム画像を作成することができる。また、ＰＣによって接続したインターネット上でアルバム画像や、これに基づいたアルバムを作成する場合も同様である。
【特許文献１】特許第２９８２１４９号公報
【発明の開示】
【発明が解決しようとする課題】
【０００４】
しかしながら、このようなアルバム画像や、アルバムを作成する場合、予めレイアウト領域の位置が決定されたテンプレート画像に対して写真画像を合成していくため、合成後の画像において統一感のないものが作成される、つまり合成された写真画像の色調と、テンプレート画像との色調が調和しないという問題がある。
【０００５】
本発明は、上記課題を解決するためになされたものであり、統一感のあるアルバム画像を作成することができるようにした画像作成装置、及び画像作成用プログラムを提供するものである。
【課題を解決するための手段】
【０００６】
本発明の画像作成装置は、静止画像が嵌め込まれるレイアウト領域が少なくとも１つ設けられた１つのテンプレート画像と、画像記憶媒体から取り込まれた少なくとも１つの前記静止画像とを合成することによって合成画像を作成する画像作成装置において、前記テンプレート画像は、該テンプレート画像の色調と調和する静止画像を絞り込むための付帯情報を有しており、前記付帯情報に基づいて、前記画像記憶媒体に記憶された複数の静止画像の中から、前記テンプレート画像に適した静止画像を選択する画像選択手段と、前記画像選択手段によって選択された静止画像を、前記テンプレート画像に合成する画像合成手段と、を備えたことを特徴とする。
【０００７】
また、前記付帯情報は、前記テンプレート画像に合成される写真画像の色範囲を示す情報であって、前記画像選択手段は、前記静止画像を解析して得られる代表色が前記色範囲内となる場合に、該静止画像を前記テンプレート画像に合成する静止画像として選択することを特徴とする。
【０００８】
また、前記テンプレート画像は、前記レイアウト領域を複数備えるとともに、前記付帯情報は、前記レイアウト領域のそれぞれに嵌め込まれる静止画像の色範囲を示す情報から構成され、前記画像選択手段は、前記静止画像を解析することによって得られる代表色が前記色範囲のいずれかの範囲内となる場合に、該静止画像を、該当した色範囲となるレイアウト領域に嵌め込む静止画像として選択することを特徴とする。
【０００９】
また、前記代表色は、前記静止画像を構成する複数の画素に用いられる色成分に基づいて決定されることを特徴とする。
【００１０】
また、本発明の画像作成用プログラムは、静止画像が嵌め込まれるレイアウト領域が少なくとも１つ設けられた１つのテンプレート画像と、画像記憶媒体から取り込まれた少なくとも１つの前記静止画像とを合成することによって合成画像を作成する画像作成用プログラムにおいて、前記テンプレート画像の色調と調和する静止画像を絞り込むための付帯情報に基づいて、前記画像記憶媒体に記憶された複数の静止画像の中から、前記テンプレート画像に適した静止画像を選択する画像選択手段と、前記画像選択手段によって選択された静止画像を、前記テンプレート画像に合成する画像合成手段と、してコンピュータを機能させることを特徴とする。
【発明の効果】
【００１１】
本発明の画像作成装置によれば、静止画像が嵌め込まれるレイアウト領域が少なくとも１つ設けられた１つのテンプレート画像と、画像記憶媒体から取り込まれた少なくとも１つの前記静止画像とを合成することによって合成画像を作成する画像作成装置において、前記テンプレート画像は、該テンプレート画像の色調と調和する静止画像を絞り込むための付帯情報を有しており、前記付帯情報に基づいて、前記画像記憶媒体に記憶された複数の静止画像の中から、前記テンプレート画像に適した静止画像を選択する画像選択手段と、前記画像選択手段によって選択された静止画像を、前記テンプレート画像に合成する画像合成手段と、を備えたから、複数の静止画像からテンプレート画像に合わせた静止画像を選択する作業を、専門の作業者に頼む必要が無くなり、統一感のある合成画像を容易に作成することができる。
【００１２】
また、前記付帯情報は、前記テンプレート画像に合成される静止画像の色範囲を示す情報であって、前記画像選択手段は、前記静止画像を解析して得られる代表色が前記色範囲内となる場合に、該静止画像を前記テンプレート画像に合成する静止画像として選択するから、統一感のある合成画像を容易に作成することができる。
【００１３】
また、前記テンプレート画像は、前記レイアウト領域を複数備えるとともに、前記付帯情報は、前記レイアウト領域のそれぞれに嵌め込まれる静止画像の色範囲を示す情報から構成され、前記画像選択手段は、前記静止画像を解析することによって得られる代表色が前記色範囲のいずれかの範囲内となる場合に、該静止画像を、該当した色範囲となるレイアウト領域に嵌め込む静止画像として選択するから、統一感のある合成画像を容易に作成することができる。
【００１４】
また、前記代表色は、前記静止画像を構成する複数の画素に用いられる色成分に基づいて決定されることを特徴とするから、今までは、テンプレート画像に合成する静止画像を専門の作業者の感覚によって選択していたので作業時間がかかっていたが、静止画像の代表色を自動で検出した後にテンプレート画像に合成されるので、作業効率が良くなるという利点がある。
【発明を実施するための最良の形態】
【００１５】
図１は、アルバム画像作成装置の構成の一例を示す機能ブロック図である。このアルバム画像作成装置１０は、写真画像データとテンプレート画像データＴＤとを用いてアルバム画像データＡＤ１を作成するものである。このアルバム画像作成装置１０は、データ読み取り部１１と、データ書き込み部１２とを備えている。
【００１６】
データ読み取り部１１は、例えば磁気ディスクや、ＣＤ−Ｒ（Ｃｏｍｐａｃｔ  Ｄｉｓｋ  Ｒｅｃｏｒｄａｂｌｅ）等の光ディスクからなる記憶媒体１３に記憶された写真画像データの読み取りを行うために設けられている。データ読み取り部１１において読み取られた写真画像データはＲＡＭ１７に作成された写真画像フォルダＰＦに記憶され、ＣＰＵ１５においてアルバム作成プログラムＰＧ１が実行された場合に、該写真画像フォルダＰＦから写真画像データが読み出される。なお、写真画像データとしては、デジタルカメラやカメラ付き携帯電話などの撮像装置により得られた写真画像データが挙げられる他に、写真フイルム、印画紙に記録された画像を光電的に読み取ることにより取得された写真画像データを含むものとする。また、静止画像として写真画像について説明するが、静止画像としては、写真画像の他に、パーソナルコンピュータ（ＰＣ）で作成された絵やマーク等の画像も含まれる。
【００１７】
データ書き込み部１２は、アルバム作成プログラムＰＧ１を実行することによって得られたアルバム画像データＡＤ１を、例えば磁気ディスクやＣＤ−Ｒ（Ｃｏｍｐａｃｔ  Ｄｉｓｋ  Ｒｅｃｏｒｄａｂｌｅ）等の光ディスクからなる記憶媒体１４に書き込むために設けられている。
【００１８】
アルバム画像作成装置１０は、ＣＰＵ１５、ＲＯＭ１６、ＲＡＭ１７を主要部とし、ＣＰＵ１５は、ＲＯＭ１６に記憶されたアルバム作成プログラムＰＧ１を実行することにより、制御部２０、代表色検出部２１、目標色検出部２２、テンプレート選択部２３、画像編集部２４、アルバム画像合成部２５として機能する。
【００１９】
代表色検出部２１は、ＲＡＭ１７に記憶された写真画像フォルダＰＦから写真画像データを読み出し、そのヒストグラムを作成する。ヒストグラムは、周知のように、写真画像データの輝度情報及びＲ，Ｇ，Ｂの色情報を画素ごとに検出し、特定の階調値に属する画素数をＲ，Ｇ、Ｂの色成分ごとにカウントした度数分布である。また、代表色検出部２１は、算出されたヒストグラムからその代表値を求める。ヒストグラムの代表値としては、平均値、中央値、最頻値等があり、いずれか１つの値が代表値に選択される。
【００２０】
目標色検出部２２は、アルバム作成に使用される写真画像の代表色を平均し、各静止画の代表色の比較対象となる目標色を検出する。この目標色は、アルバム画像を作成したときの、１つのアルバム画像における方向性を示す色である。この目標色は、入力操作部４６を介してユーザーにより指定された色が適用される場合と、目標色検出部２２により検出された目標色が適用される場合の２通りがあり、いずれの場合とするかはアルバム作成時にユーザーが選択することになる。
【００２１】
テンプレート選択部２３は、ユーザーにより目標色が指定された場合に、或いは、目標色検出部２２において目標色が検出された場合に、目標色をテンプレート画像の色として使用しているテンプレート画像データＴＤをデータベース３０に設けられたテンプレートフォルダ３１から読み出す。なお、読み出されたテンプレート画像データＴＤには、テンプレート画像に合成される写真画像の色範囲、詳しくは、テンプレート画像の色と調和する写真画像の代表色の色範囲を示すデータが付帯されている。
【００２２】
画像選択部２４は、写真画像の代表色が、テンプレート画像データに付帯されている代表色の色範囲に含まれるか否かを判定し、色範囲に含まれていると判定された場合に、その代表値が得られた写真画像を、テンプレート画像に合成する写真画像として選択する。例えば代表色は色成分に分解することができるので、代表色の各色成分がテンプレート画像データＴＤに記憶された色成分毎の色範囲内であるか否かを判定を行う。なお、以下では、代表色の色範囲は、例えば目標色の各色成分の±３０の範囲を色範囲とする。
【００２３】
アルバム画像合成部２５は、テンプレート選択部２３によって選択されたテンプレート画像ＴＤと写真画像とを合成することによって、アルバム画像を作成する。詳細は記載しないが、テンプレート画像は、写真画像が配置される領域（以下、レイアウト領域）と、文字やイラスト等が配置される背景領域とが設けられており、色調補正部３６によって色調補正が行われた写真画像、或いは、画像振り分け部３７において、テンプレート画像に合成する写真画像として適していると判定された写真画像に対して、レイアウト領域に合わせたトリミング処理が行われる。このトリミング処理が行われた写真画像をテンプレート画像にはめ込むことによって、アルバム画像が作成される。なお、アルバム画像合成部２５によって作成されたアルバム画像に基づくアルバム画像データＡＤ１は、ＲＡＭ１７に記憶される。
【００２４】
画像表示部４５は、例えば液晶パネルを備え、アルバム画像作成を実行する際の入力表示、データ読み取り部１１によって読み取られた写真画像表示、或いは作成されたアルバム画像のプレビュー画像の表示が行われる。入力操作部４６は、キーボードやマウス、タッチパネルなどからなり、アルバム画像作成時の入力操作や、プレビュー画像に基づいた修正を行う際に操作される。プリンタ４７は、画像表示部に表示されたアルバム画像データに基づいたプレビュー画像を印刷する際に用いられる。
【００２５】
次に、本発明のアルバム作成装置１０を用いてアルバム画像データを作成する手順を図２のフローチャートを参照して説明する。記憶媒体１３に記憶された写真画像データをデータ読み取り部１１によって読み取り、読み取った写真画像データをＲＡＭ１７に作成された写真画像フォルダＰＦにコピーする。ＲＡＭ１７に作成された写真画像フォルダＰＦに写真画像データのコピーが終了すると、制御部２０は、該写真画像データを用いたサムネイル画像を作成し、モニタに複数の写真画像をサムネイル画像として画像表示部４５に一覧表示する。
【００２６】
画像表示部４５に複数の写真画像がサムネイル画像として一覧表示されると、ユーザーは、これら写真画像から、アルバム画像の作成に使用する写真画像を選択する。このとき、ユーザーは、写真画像全てを選択する、或いは複数の写真画像の一部を選択することになる。写真画像の選択が終了すると、代表色検出部２１は、各写真画像の代表色を検出する。例えば、図３に示すように、写真画像Ｐｉｃ．１から、（Ｒ，Ｇ，Ｂ）＝（１３４，１７５，５８）、写真画像Ｐｉｃ．２から、（Ｒ，Ｇ，Ｂ）＝（８５，７０，１２５）、写真画像Ｐｉｃ．３から、（Ｒ，Ｇ，Ｂ）＝（１００，１７５，５０）とする代表色がそれぞれ検出される。
【００２７】
代表色の検出が終了すると、画像表示部４５には、テンプレート画像の色を選択するか否かの選択画面が表示される。この選択画面において表示される例えば１２８色のカラーパレット（図示省略）によって、テンプレート画像の色を選択する。テンプレート選択部２３は、データベース３０に記憶されたテンプレートフォルダ３１から、選択された色を用いたテンプレート画像データＴＤをデータベース３０から読み出して、ＲＡＭ１７に記憶する。
【００２８】
一方、テンプレート画像の色を選択しない場合には、目標色検出部２２において、写真画像全体としての目標色が検出される。そして、目標色の検出が行われると、テンプレート選択部２３は、目標色を用いたテンプレート画像データＴＤを、データベース３０から読み出してＲＡＭ１７に記憶する。
【００２９】
テンプレート画像データＴＤが決定されると、画像選択部２４は、写真画像の代表色と、テンプレート画像に合成する写真画像の代表色の色範囲とを色成分毎に比較し、代表色の色成分のそれぞれが、色成分毎の色範囲内にあるか否かを判定する。図３に示すように、例えばテンプレート画像の色の色成分が（Ｒ、Ｇ、Ｂ）＝（１２０，２００，５０）となる場合、Ｒ色成分の色範囲９０〜１５０、Ｇ色成分の色範囲テンプレート画像に合成される写真画像として適している写真画像の代表値の色範囲は、Ｒ成分の色範囲は９０〜１５０、Ｇ色成分の色範囲は１７０〜２３０、Ｂ色成分の色範囲は２０〜８０となる。例えば写真画像Ｐｉｃ．１の代表色の色成分が（Ｒ、Ｇ、Ｂ）＝（１３４，１７５，５８）となる場合には、Ｒ、Ｇ、Ｂ色成分がそれぞれ、Ｒ、Ｇ、Ｂ成分の色範囲内となるから、この場合には、写真画像Ｐｉｃ．１は、テンプレート画像に合成する写真画像として適していると判定し、テンプレート画像に合成する旨のデータを写真画像Ｐｉｃ．１の写真画像データに付加する。
【００３０】
同様にして、写真画像Ｐｉｃ．２、Ｐｉｃ．３に対しても同様の処理が行われる。写真画像Ｐｉｃ．２の代表色の色成分は（Ｒ、Ｇ、Ｂ）＝（８５，７５，１２５）となり、Ｒ、Ｇ、Ｂ色成分がいずれもＲ、Ｇ、Ｂ成分の色範囲外となるから、写真画像Ｐｉｃ．２はテンプレート画像に合成する写真画像には適していないと判定する。また、写真画像Ｐｉｃ．３の代表色の色成分は（Ｒ、Ｇ、Ｂ）＝（１００，１５０，５０）となる場合には、Ｒ色成分、Ｂ色成分がそれぞれの色範囲内となるが、Ｇ色成分が色範囲外となるので、写真画像Ｐｉｃ．３は、テンプレート画像に合成される写真画像としては適していないと判定される。
【００３１】
図４に示すように、アルバム画像の作成に９枚の写真画像Ｐｉｃ．１〜Ｐｉｃ．９を使用する場合、上述した処理が全ての写真画像について行われる。そして、例えば２枚のテンプレート画像ＴＰ１、ＴＰ２に写真画像のいずれかを合成する場合、上述した画像選択部２４における比較結果から、例えばテンプレート画像ＴＰ１に合成する写真画像として、写真画像Ｐｉｃ．１、Ｐｉｃ．４、Ｐｉｃ．５が、テンプレート画像ＴＰ２に合成する写真画像としてＰｉｃ．７〜９の６枚の写真画像がそれぞれ選択された場合には、例えばテンプレート画像ＴＰ１のレイアウト領域ＬＡ１に写真画像Ｐｉｃ．１が配置されるように、またテンプレート画像ＴＰ１のレイアウト領域ＬＡ２にＰｉｃ．４が配置されるように、テンプレート画像ＴＰ１のレイアウト領域ＬＡ３にＰｉｃ．６を配置させるように、各写真画像をテンプレート画像ＴＰ１に合成する。
【００３２】
同様にして、テンプレート画像ＴＰ２のレイアウト領域ＬＡ４に写真画像Ｐｉｃ．７を、テンプレート画像ＴＰ２のレイアウト領域ＬＡ５に写真画像Ｐｉｃ．８を、テンプレート画像ＴＰ２のレイアウト領域ＬＡ６に写真画像Ｐｉｃ．９を配置させるように、各写真画像をテンプレート画像ＴＰ２に合成する。これにより、アルバム画像ＡＰ１，ＡＰ２が作成され、アルバム画像ＡＰ１，ＡＰ２に基づくアルバム画像データＡＤ１がＲＡＭ１３に記憶される。なお、写真画像は、トリミング処理等の処理が行われた上でレイアウト領域に配置される。
【００３３】
なお、作成されたアルバム画像データＡＤ１は、ユーザーによる入力操作部４６の操作を受けて、例えば画像表示部４５にプレビュー表示したり、データ書き込み部１２にセットされた記憶媒体１４に記憶する、或いは、アルバム画像データＡＤ１をプリンタ４７に転送することによって印刷を行うことができる。
【００３４】
なお、上述した比較において、テンプレート画像に合成する写真画像として選択されなかった写真画像は、他のテンプレート画像に合成される。なお、他のテンプレート画像としては、選択されなかった写真画像における目標色を算出し、算出された目標色を用いたテンプレート画像、或いは、無彩色のテンプレート画像等を挙げることができる。
【００３５】
以上のように、本発明の実施形態について説明したが、本発明は上記実施形態に限られず、適宜の変更が可能である。例えば、上記実施形態のアルバム画像作成装置１０は、アルバム画像を作成する専用の装置として構成されているが、アルバム作成プログラムが組み込まれたデジタルスチルカメラ、又はパーソナルコンピュータによってアルバム画像を作成するようにしてもよい。
【００３６】
本実施形態では、写真画像の代表色がテンプレート画像の色範囲内であるか否かによって、テンプレート画像に合成する写真画像として適しているか否かを判定したが、これに限定する必要はなく、テンプレート画像の色と、写真画像の代表値との違いを示す色較差の値を算出し、算出された色較差の値が予め設定された色較差の基準範囲内にあるか否かを判定することによって、テンプレート画像に合成する写真画像として適しているか否かを判定することも可能である。
【００３７】
本実施形態では、写真画像の代表色を検出する例として、ヒストグラムを作成して検出する例を取り上げたが、これに限定する必要はなく、写真画像における主要被写体を解析し、解析された主要被写体から、代表色の検出を行うことも可能である。
【００３８】
本実施形態では、テンプレート画像に付帯されるデータの例として、テンプレート画像に合成される写真画像の代表色の色範囲を取り上げたが、これに限定する必要はなく、レイアウト領域に嵌め込まれる写真画像の代表色の色範囲を示す情報としてもよい。
【００３９】
例えば、図５に示すように、テンプレート画像ＴＰ４のレイアウト領域ＬＡ７、ＬＡ８、ＬＡ９には、それぞれのレイアウト領域ＬＡ７、ＬＡ８、ＬＡ９に嵌め込まれる写真画像の各色成分の色範囲が予め決められている。この条件は、テンプレート画像の色に応じて設定されており、例えば、写真画像に対する各色成分の色範囲は、例えばテンプレート画像ＴＰ４の色の色成分に対して±３０の範囲で設定される。これにより、テンプレート画像ＴＰ４の色が（Ｒ、Ｇ、Ｂ）＝（６５，４５，１８０）となる場合、レイアウト領域ＬＡ７に配置される写真画像の各色成分の色範囲は、Ｒ色成分の色範囲４５〜８５、Ｂ色成分の色範囲２５〜６０、Ｂ色成分の色範囲１６５〜１９０に設定される。同様にして、レイアウト領域ＬＡ８、ＬＡ９についても写真画像に対する各色成分の色範囲が設定されている。
【００４０】
例えば、写真画像Ｐｉｃ．１０〜Ｐｉｃ．１２をテンプレート画像ＬＡ４に合成する場合には、各写真画像におけるヒストグラム解析を行って、写真画像毎の代表値を検出する。この検出において、例えば写真画像Ｐｉｃ．１０の代表色は、（Ｒ、Ｇ、Ｂ）＝（１３４，１７５，５８）、写真画像Ｐｉｃ．１１の代表色は、（Ｒ、Ｇ、Ｂ）＝（５７，３０，１８５）、写真画像Ｐｉｃ．１２の代表色は、（Ｒ、Ｇ、Ｂ）＝（１００，１７５，５０）となる。
【００４１】
テンプレート画像ＴＰ４の背景色が、（Ｒ、Ｇ、Ｂ）＝（６５，４５，１８０）となる場合、レイアウト領域ＬＡ７に配置される写真画像の代表色における各色成分の範囲は、Ｒ色成分の色範囲４５〜８５、Ｂ色成分の色範囲２５〜６０、Ｂ色成分の色範囲１６５〜１９０に設定されるので、写真画像の代表色における色成分が、これら範囲内にあるか否かを判定する。例えば、写真画像Ｐｉｃ．１０の場合には、各色成分の階調値が、レイアウト領域ＬＡ７に設定された色成分の範囲内ではないので、写真画像ｐｉｃ．１０は、レイアウト領域ＬＡ７に配置される写真画像として選択しない。同様にして、写真画像ｐｉｃ．１１についても行われる。この場合、写真画像ｐｉｃ．１１の各色成分は、レイアウト領域に設定された色成分の範囲内となるので、写真画像ｐｉｃ．１１は、レイアウト領域ＬＡ７に配置される写真画像として選択する。
【００４２】
同様にして、写真画像ｐｉｃ．１２についても行われる。この比較は、他のレイアウト領域に対しても行われる。なお、この場合、１つのレイアウト領域に複数の写真画像が選択された場合は、候補としてモニタに表示し、ユーザーに選択してもらう、レイアウト領域に設定された色成分の範囲を狭めて比較処理を再度実行する、或いは、テンプレート画像の背景色と比較して、色成分が近似している写真画像をレイアウト領域に配置する画像として選択する等、適宜の方法を実行することが考えられる。また、写真画像が、複数のレイアウト領域に設定された色成分の範囲で選択される場合も同様である。これにより、統一感のあるアルバム画像を作成することができる。
【００４３】
上述した比較において、レイアウト領域に配置する写真画像として選択されなかった写真画像は、他のテンプレート画像に合成される。なお、他のテンプレート画像としては、選択されなかった写真画像における目標色を算出し、算出された目標色を用いたテンプレート画像、レイアウト領域に色成分が設定されていないテンプレート画像等を挙げることができる。
【００４４】
また、付帯データとしては、色情報の他に、レイアウト領域に配置される写真画像のアスペクト比、画像サイズ、或いは写真画像が人物となる場合には、その人数等を挙げることができる。各レイアウト領域に合成する写真画像の条件が多ければ、１つのレイアウト領域に対して複数の写真画像が選択されることを防止することができる。
【００４５】
本実施形態では、テンプレート画像の色については説明していないが、実際にテンプレート画像が単色からなる場合は、テンプレート画像に使用されている色であり、テンプレート画像が複数の色から構成されている場合には、テンプレート画像に対してヒストグラムを行った結果、得られる色をテンプレート画像の色とすることも含まれる。
【図面の簡単な説明】
【００４６】
【図１】本発明のアルバム画像作成装置の構成を示す機能ブロック図である。
【図２】アルバム画像作成の流れを示すフローチャートである。
【図３】検出された写真画像の代表色がテンプレート画像の背景色に近似しているか否かによって、テンプレート画像に合成する写真画像を選択する際の流れを示す説明図である。
【図４】選択された画像をテンプレート画像に合成する流れを示す説明図である。
【図５】検出された代表色がレイアウト領域に設定された色成分の範囲内となるか否かによって、該レイアウト領域に配置する写真画像を選択する際の流れを示す説明図である。
【符号の説明】
【００４７】
１０  アルバム画像作成装置
１１  データ読み取り部
１２  データ書き込み部
１３，１４  記憶媒体
１５  ＣＰＵ
１６  ＲＯＭ
１７  ＲＡＭ
２０  制御部
２１  代表色検出部
２２  目標色検出部
２３  テンプレート選択部
２４  画像選択部
２５  アルバム画像合成部
３０  データベース
４５  画像表示部
【図１】
2006350936.tif 000003
【図２】
2006350936.tif 000004
【図３】
2006350936.tif 000005
【図４】
2006350936.tif 000006
【図５】
2006350936.tif 000007